(57)【特許請求の範囲】
【請求項１】
鍵盤楽器の鍵に設けられた孔部に挿入され、弾性力により当該孔部の内壁面を内側から押圧して当該孔部内に止まる接合部と、該接合部に固定され、光の透過位置によって実効的な光透過率が異なる光フィルタ部とを有する被検出板と、
前記鍵に連動する光フィルタ部の軌道面を挟んで対向するように前記鍵盤楽器に固定された発光部と受光部とを有し、前記受光部によって前記発光部からの光を受光し、受光量に応じた信号を出力する光検出手段と
を備えることを特徴とするキーセンサ。
【請求項２】
鍵盤楽器の鍵の運動を検出するキーセンサに用いられる部材であり、前記鍵に連動して当該キーセンサの発光部から受光部に至る光の経路軸を横断する被検出板であって、
鍵盤楽器の鍵に設けられた孔部に挿入され、弾性力により当該孔部の内壁面を内側から押圧して当該孔部内に止まる接合部と、
該接合部に固定され、光の透過位置によって実効的な光透過率が異なる光フィルタ部と
を備えることを特徴とするキーセンサの被検出板。
【請求項３】
前記光フィルタ部は、前記接合部に着脱自在に設けられる
ことを特徴とする請求項２に記載の被検出板。
【請求項４】
鍵と、
前記鍵に設けられた孔部に挿入され、弾性力により当該孔部の内壁面を内側から押圧して当該孔部内に止まる接合部と、該接合部に固定され、光の透過位置によって実効的な光透過率が異なる光フィルタ部とを有する被検出板と、
前記鍵に連動する光フィルタ部の軌道面を挟んで対向するように前記鍵盤楽器に固定された発光部と受光部とを有し、前記受光部によって前記発光部からの光を受光し、受光量に応じた信号を出力する光検出手段と
を備えることを特徴とする鍵盤楽器。
【請求項５】
鍵盤楽器の鍵の一側面または下面に設けられた溝部と嵌合する嵌合部と、光の透過位置によって実効的な光透過率が異なる光フィルタ部とを有する被検出板と、
前記鍵に連動する光フィルタ部の軌道面を挟んで対向するように前記鍵盤楽器に固定された発光部と受光部とを有し、前記受光部によって前記発光部からの光を受光し、受光量に応じた信号を出力する光検出手段と
を備えることを特徴とするキーセンサ。
【発明の詳細な説明】
【０００１】
【発明の属する技術分野】
本発明は、鍵盤楽器が備える鍵の運動を検出するキーセンサ、このキーセンサの被検出板およびこのキーセンサを備える鍵盤楽器に関する。
【０００２】
【従来の技術】
従来から、自動ピアノなどの鍵盤楽器として、それぞれの鍵の運動を検出する光学式のキーセンサを備えたものがある。このキーセンサは、発光素子と受光素子とが対向配置された光センサと、被検出板とを備えている。光センサは、各鍵の下側に配置される。また、被検出板は、位置によって透過光量が異なる光フィルタ部を有しており、それぞれの鍵の下面に設けられる。鍵が押下されると、この鍵とともに被検出板が運動し、この被検出板の光フィルタ部が発光素子から受光素子に至る光の経路軸を光フィルタ部が横断する。このとき、鍵と連動した被検出板の運動により、光フィルタ部における発光部の出力光の照射位置が変化するため、光フィルタ部を透過して受光部にて検出される光の光量が変化する。そして、この光量の変化を反映した検出信号が受光部から出力され、この検出信号から演奏データが生成される。この演奏データは、記録媒体に記録され、あるいは電子的な楽音を生成する電子音源に供給される。
【０００３】
【発明が解決しようとする課題】
ところで、以上説明した従来のキーセンサは、鍵盤楽器が備える全ての鍵の動作を検出するために、上述した被検出板を鍵盤楽器の全ての鍵の各々に取り付ける必要があり、しかもその取り付け作業は、甚だ面倒な作業であったため、多くの人手と時間を要していた。
【０００４】
本発明は、上述した事情に鑑みてなされたものであり、その目的とするところは、煩雑な作業を必要とせず被検出板を鍵に簡単に取り付けることが可能なキーセンサ、キーセンサの被検出板および鍵盤楽器を提供することにある。
【０００５】
【課題を解決するための手段】
上記目的を達成するために、本件発明にかかる第１のキーセンサは、鍵盤楽器の鍵に設けられた孔部に挿入され、弾性力により当該孔部の内壁面を内側から押圧して当該孔部内に止まる接合部と、該接合部に固定され、光の透過位置によって実行的な光透過率が異なる光フィルタ部とを有する光検出板と、前記鍵に連動する光フィルタ部の軌道面を挟んで対向するように前記鍵盤楽器に固定された発光部と受光部とを有し、前記受光部によって前記発光部からの光を受光し、受光量に応じた信号を出力する光検出手段とを備えている。
【０００６】
この第１のキーセンサによれば、接合部が鍵盤楽器の鍵に設けられた孔部に挿入され、弾性力により当該孔部の内壁面を内側から押圧して当該孔部内に止まるようになっている。さらに、この接合部には、光の透過位置によって実効的な光透過率が異なる光フィルタ部とを有する被検出板が固定される。
また、光検出手段は、前記鍵に連動する光フィルタ部の軌道面を挟んで対向するように前記鍵盤楽器に固定された発光部と受光部とを有し、前記受光部によって前記発光部からの光を受光し、受光量に応じた信号を出力する。
【０００７】
また、上記目的を達成するために、本件発明にかかるキーセンサの被検出板は、鍵盤楽器の鍵の運動を検出するキーセンサに用いられる部材であり、前記鍵に連動して当該キーセンサの発光部から受光部に至る光の経路軸を横断する被検出板であって、鍵盤楽器の鍵に設けられた孔部に挿入され、弾性力により当該孔部の内壁面を内側から押圧して当該孔部内に止まる接合部と、該接合部に固定され、光の透過位置によって実効的な光透過率が異なる光フィルタ部とを備えている。また、前記光フィルタ部は、前記接合部に着脱自在に設けられることが望ましい。
【０００８】
次いで、上記目的を達成するために、本件発明の鍵盤楽器は、鍵と前記鍵に設けられた孔部に挿入され、弾性力により当該孔部の内壁面を内側から押圧して当該孔部内に止まる接合部と、該接合部に固定され、光の透過位置によって実効的な光透過率が異なる光フィルタ部とを有する被検出板と、前記鍵に連動する光フィルタ部の軌道面を挟んで対向するように前記鍵盤楽器に固定された発光部と受光部とを有し、前記受光部によって前記発光部からの光を受光し、受光量に応じた信号を出力する光検出手段とを備えている。
【０００９】
また、上記目的を達成するために、本件発明にかかる第２のキーセンサは、鍵盤楽器の鍵の一側面または下面に設けられた溝部と嵌合する嵌合部と、光の透過位置によって実効的な光透過率が異なる光フィルタ部とを有する被検出板と、前記鍵に連動する光フィルタ部の軌道面を挟んで対向するように前記鍵盤楽器に固定された発光部と受光部とを有し、前記受光部によって前記発光部からの光を受光し、受光量に応じた信号を出力する光検出手段とを備えている。
【００１０】
【発明の実施の形態】
以下、図面を参照して本発明の実施形態について説明する。
【００１１】
＜Ａ：第１実施形態＞
図１は、本発明の第１実施形態にかかる鍵盤楽器の構造を示す側断面図である。この鍵盤楽器は、多数の並設された白鍵２ａおよび黒鍵２ｂからなる鍵盤４を備えている。なお、図１には、図示が煩雑になるのを防ぐため、１個の白鍵２ａと１個の黒鍵２ｂのみが示されている。以下、白鍵２ａと黒鍵２ｂとを特に区別する必要がない場合は、「鍵２」と称する。
棚板６は、鍵盤楽器の下部フレームを構成するものである。この棚板６の上面には、鍵盤楽器の全幅にわたって延在するフロントレール１０、バランスレール１２およびバックレール１４が図中右側からこの順番で取り付けられており、これらの３本のレールによって鍵盤４が支持される。
【００１２】
バランスレール１２には、多数のバランスピン１２ａが立設されている。これらのバランスピン１２ａは、各々１個の鍵２を貫通するように設けられている。これらのバランスピン１２ａにより、各鍵２の図面左右方向の移動が抑止される。また、各鍵２は、各々を貫通しているバランスピン１２ａ付近の部分を支点として揺動する。また、フロントレール１０には、各々鍵２ａの先端裏側の部分を見上げるように多数のフロントピン１０ａが立設されている。これらのフロントピン１０ａは、各鍵２が押下されたとき、鍵２の先端部の裏側に侵入し、各鍵２の図面垂直方向への揺れを防止する。
【００１３】
鍵２の後端部には、キャプスタン８が取り付けられている。このキャブスタン８は、押鍵によって上昇し、図示せぬ打弦機構を駆動する。この打弦機構の駆動により発音が行われる。
【００１４】
棚板６の上面のフロントレール１０とバランスレール１２との間の領域には、光センサユニット２００が取り付けられている。図２は、この光センサユニット２００の拡大図である。光センサユニット２００は、複数の鍵２の各々に対応した複数の光センサ２６０を備えている。各光センサ２６０は、対応する鍵２の下側にそれぞれ配置される。また、光センサ２６０は、発光部２６０ａと受光部２６０ｂとを備えている。これらの発光部２６０ａと受光部２６０ｂは、鍵２の旋回面を挟み、かつ、発光部２６０ａから受光部２６０ｂに至る光の経路軸が、鍵２の旋回面を垂直に貫通するように固定されている。
【００１５】
より具体的には、光センサ２６０は、ベースプレート２１０に立設された支柱部２２０により支持されるトッププレート２４０の下面にネジ止め固定されている。また、支柱部２２０が備えるボルト２２６の高さを調整すると、これと連動してトッププレート２４０の高さ方向も調整されるようになっており、これにより、光の経路軸の位置調整ができる。
【００１６】
一方、各鍵２の下面には、被検出板３２０が被検出板固定具３１０により取り付け固定されている。図３は、被検出板３２０と被検出板固定具３１０の構成を示す図であり、図４は、被検出板固定具３１０の構成を示す３面図である。
【００１７】
図４に示すように、被検出板固定具３１０は、長方形の板部材であるベース３１１を備えている。ベース３１１の上面には、接合部３１８が立設されている。この接合部３１８は、略円柱状部材であり、その先端部が太くなっている。また、接合部３１８は、その先端部から基端部に向かって切り込みの入った二股形状であり、２本の脚３１８ａを有している。各脚３１８ａには、脚３１８ａの長軸に垂直に突出した突出部が設けられている。また、接合部３１８は、例えばＰＯＭ（ポリアセタール）やナイロンといった合成樹脂などの弾性材からなり、各脚３１８ａは、弾性変位が可能となっている。
【００１８】
一方、図３に示すように、鍵２の下面には、接合部３１８のベース３１１近傍における断面径と略同径の接合孔部３ａが設けられており、被検出板固定具３１０の接合部３１８を鍵２の接合孔部３ａに挿入することにより、被検出板固定具３１０が鍵２に固定される。具体的には、接合部３１８が接合孔部３ａに挿入されると、各脚３１８ａに突出部が設けられているため、各脚３１８ａは、接合孔部３ａの径方向内方に絞らるように変形し、この結果、各脚３１８ａが接合孔部３ａの内壁に弾性による押圧力を与えるから、この押圧力により被検出板固定具３１０が鍵２に保持され、固定される。
【００１９】
また、ベース３１１の上面には、回転防止棒３１９が立設されている。この回転防止棒３１９は、被検出板固定具３１０が接合部３１８を中心として回動するのを防止するものであり、鍵２の下面に設けられた回転防止孔部３ｂに嵌挿される。これにより、被検出板固定具３１０が接合部３１８と回転防止棒３１９との２点により固定されるため、被検出板固定具３１０の回動が防止される。
【００２０】
被検出板３２０は、例えばＰＥＴ（Poly Ethylene Terephthalate）などの弾性を有する透明性基材をフィルム状に形成してなるものであり、被検出板固定具３１０により着脱自在に保持されている。図５は、被検出板３２０と被検出板固定具３１０の分解図である。同図に示すように、被検出板３２０は、被検出板固定具３１０により保持される被保持部３２０ｂを備えている。一方、被検出板固定具３１０は、被検出板３２０を保持する保持部３１２ａ、３１２ｂを備えている。図４に示すように、保持部３１２ａは、ベース３１１の前側面両端の夫々に設けられた略長方形の板部材であり、保持部３１２ｂは、ベース３１１の前側面の中央付近に設けられた略長方形の板部材である。この保持部３１２ｂは、保持部３１２ａよりも僅かに前方に突出し、かつ、保持部３１２ａと平行になるように設けられており、保持部３１２ａと保持部３１２ｂとの間隙に被検出板３２０の被保持部３２０ｂが嵌挿される。
【００２１】
また、図５に示すように、保持部３１２ａの前方面内には、凸部３１４が設けられている一方で、被保持部３２０ｂの左右両端側には、凸部３１４と係合する切欠部３２４が設けられており、被保持部３２０ｂが嵌挿されたときに、切欠部３２４が凸部３１４と係合する。さらに、凸部３１４の左右方向の幅は、切欠部３２４よりも長くなっており、凸部３１４と、切欠部３２４とが係合した場合に、この被検出板３２０が図垂直方向を軸として反った姿勢で保持される。すなわち、凸部３１４と切欠部３２４とが係合し、これに加えて、被検出板３２０が弾性力により凸部３１４を押圧するから、被検出板３２０が被検出板固定具３１０に強固に保持される。
【００２２】
さらに、図４に示すように、被検出板３２０の挿入方向に対峙する凸部３１４の側面部３１４ａは、なだらかに傾斜しており、被検出板３２０を被検出板固定具３１０に挿入する際に、この被検出板３２０が凸部３１４に引っかかることなく挿入できるようになっている。
【００２３】
次いで、図５に示すように、被検出板３２０の被保持部３２０ｂの上辺には、長方形状に突出した突出部３２６が設けられている。一方、被検出板固定具３１０の保持部３１２ｂには、突出部３２６と係合する開口部３１６が設けられている。この構成により、突出部３２６と開口部３１６とが係合するように被検出板３２０が挿入されると、被検出板３２０は、検出板固定具３１０のベース３１１に概ね垂直に延長するように保持される。
このように、被検出板３２０を被検出板固定具３１０へ嵌挿して着脱自在に固定する構成となっているので、被検出板３２０の被検出板固定具３１０への取り付け作業が容易であり、なおかつ、その取り外し作業も容易に行うことができるから、被検出板３２０の換装などを簡単に行うことができる。
【００２４】
また、図３に示すように、被検出板３２０は、鍵２の長手方向に対して略垂直に延びる略長方形のスケール部３２０ａ（光フィルタ部）を有している。このスケール部３２０ａの表面には、黒色に塗られたテーパパターン３２２が施されている。このテーパパターン３２２により、光ビームがスケール部３２０ａの先端部に照射されるときには、光ビームの照射領域とテーパパターン３２２の領域との重なりが小さいため、光ビームの略全光量が透過するが、光ビームの照射位置が基端部に向かうにつれ、光ビームの照射領域とテーパパターン３２２の領域との重なりが大きくなるため、光ビームの光量の内スケール部３２０ａを透過する光量は、小さくなる。
また、被検出板３２０は、被検出板固定具３１０により鍵２の下面に固定されると、光センサ２６０の発光部から受光部に至る光の経路軸がスケール部３２０ａを垂直に貫通するように配置される。
【００２５】
このような構成により、鍵２が押下されると、この鍵２とともに被検出板３２０が運動し、この被検出板３２０のスケール部３２０ａが光センサ２６０の発光素子から受光素子に至る光の経路軸を光フィルタ部が横断する。このとき、鍵と連動した被検出板の運動により、光フィルタ部における発光部の出力光の照射位置が変化するため、光フィルタ部を透過して受光部にて検出される光の光量が変化する。そして、この光量の変化を反映した検出信号が受光部から出力され、これにより、鍵２の運動が検出される。
【００２６】
以上説明したように、第１実施形態によれば、被検出板３２０を被検出板固定具３１０に嵌挿するだけで、簡単に被検出板３２０を被検出板固定具３１０に取り付け固定することができる。
また、被検出板固定具３１０の鍵２への取り付けは、鍵２の下面に設けられた接合孔部３ａに被検出板固定具３１０の接合部３１８を挿入するとともに、回転防止孔部３ｂに回転防止棒３１９を挿入するだけでよく、簡単に被検出板固定具３１０を鍵２へ取り付け固定が行われる。これにより、例えば、既製の鍵盤楽器に、第１実施形態にかかるキーセンサを取り付けるといった場合にも、簡単に取り付け作業を行うことができる。
【００２７】
さらに、この第１実施形態によれば、鍵２の接合孔部３ａが木材の経年変化により径方向外向きに僅かに拡径したとしても、接合部３１８のそれぞれの脚３１８ａの弾性による接合孔部３ａの内壁への押圧力が維持されるため、鍵２から被検出板固定具３１０が抜け落ちるといったことが防止される。
【００２８】
これに加えて、被検出板３２０と被検出板固定具３１０との接合、および、鍵２と被検出板固定具３１０との接合に、例えば接着材などの粘着物質を使用しないため、被検出板３２０や被検出板固定具３１０の換装が容易となっている。
また、接着材により各接合部を固定する場合、接着剤に使用される有機溶剤により、光センサ２６０における光学系（レンズなど）を汚染や侵食することがあるが、この第１実施形態によれば、接着材を用いる必要がなく、光学系の汚染や侵食が生じることがない。
【００２９】
＜Ｂ：第２実施形態＞
上述した第１実施形態にあっては、被検出板３２０を鍵２の下面に取り付けるために被検出板固定具３１０を用いた。以下に説明する第２実施形態では、被検出板固定具３１０を用いることなく、鍵２の下面に被検出板３２０を簡単に取り付けることができる実施形態について説明する。
【００３０】
図６は、本発明の第２実施形態にかかる被検出板３２０を示す斜視図であり、図７は、この被検出板３２０を鍵２に取り付けたときの側断面図である。
被検出板３２０は、第１実施形態において説明した被検出板３２０と同様に、透明性基材からフィルム状に形成されたものであが、保持部３２０ｂの両端部に保持部３２０ｂの面に対して垂直に設けられた側面部３２７を有している点において異なる。それぞれの側面部３２７には、爪部３２７ａが設けられている。
【００３１】
一方、鍵２の側面には、被検出板３２０の側面部３２７と嵌合する形状を有した溝部３ｃが設けられている。
このような構成において、被検出板３２０を鍵２に取り付ける際には、保持部部３２０ｂの鍵２と当接する面上に粘着剤を塗布した後、被検出板３２０の側面部３２７と、鍵２の切込部３ｃとを嵌合させつつ、粘着材が塗布された保持部３２０ｂを鍵２の側面に圧着する。これにより、被検出板３２０が鍵２の側面に貼り付け固定される。また、側面部３２７が爪部３２７ａを有しているため、被検出板３２０は、鍵２から剥れ難くなっている。
【００３２】
このように、第２実施形態によれば、被検出板３２０を鍵２に取り付ける際に、被検出板固定具３１０を用いる必要がなく、コストを抑えることができる。
また、側面部３２７を鍵２の溝部３ｃに嵌合させるだけで、被検出板３２０を簡単に鍵２に取り付けることができる。
さらに、被検出板３２０のスケール部３２０ａが光センサ２６０の光の経路軸を横切るように、予め鍵２に溝部３ｃを設けておくことにより、被検出板３２０を鍵２に取り付ける際の位置決めが不要となり、被検出板３１０の側面部３２７と溝部３ｃとを係合させるだけで、簡単に位置決めがなされる。
なお、被検出板３２０は、鍵２の上面から所定距離だけ下に被検出板３２０の上端部が位置するように設けられることが望ましい。この所定距離は、鍵２の先端の揺動範囲長より大きく設定されたものである。このように被検出板３２０を配置することにより、鍵２が押下されたとしても、この鍵２の隣鍵側面に設けられた被検出板３２０が演奏者に視認されることがない。
【００３３】
＜Ｃ：各実施形態の変形例＞
上述した実施形態は、あくまでも例示であり、本発明の趣旨の範囲内で任意に変形が可能である。そこで、以下に、各実施形態の各種変形例について説明する。
【００３４】
（１）上述した第１実施形態にあっては、被検出板固定具３１０の接合部３１８に弾性材料が用いられていればよく、例えば、図８に示すような形状および構成の被検出板固定具３１０を用いてもよい。すなわち、同図において、被検出板固定具３１０は、アルミ板などの金属板により形成されたものである。また、同図に示すように、この被検出板固定具３１０の接合部３１８は、図面上方に延びる薄板部材であって、鍵２の下面に設けられた接合孔部３ａの径よりも突出する部位を有している。
【００３５】
また、被検出板固定具３１０の保持部３１２ａは、金属板を下端部にて図面上方に折り返した構造となっており、被検出板３２０の保持部３２０ｂが保持部３１２ａの折り返し部に挿入されることにより、被検出板固定具３１０は、被検出板３２０の自重に抗して被検出板３２０を保持する。
そして、被検出板固定具３１０の鍵２への取り付けは、被検出板固定具３１０の接合部３１８を接合孔部３ａに挿入することにより行われる。さらに説明すると、上述したように、接合部３１８は、接合孔部３ａの径よりも図面横方向に突出した部位を有することから、接合部３１８の延長方向を軸として接合部３１８が反った姿勢でこの接合部３１８を接合孔部３ａに挿入される。
【００３６】
この結果、接合孔部３ａ内において、接合部３１８が反った姿勢に保持されるため、接合部３１８の弾性力により、接合孔部３ａの内壁への押圧力が発生し、これにより、被検出板固定具３１０が鍵２に保持される。このように、接合部３１８には、弾性材料であれば、金属を用いることがでる。また、接合部３１８を、金属板にかえて、弾性を有するプラスチック板やゴム材などを用いてもよいことは、勿論である。
【００３７】
（２）次いで、上述した第２実施形態にあっては、被検出板３２０に側面部３１７を設ける一方で、鍵２の側面に、この側面部３１７と嵌合する溝部３ｃを設けるようにしたが、それぞれの形状は、被検出板３２０の保持部３２０ｂの形状と係合する形状の接合部３が鍵２に設けられていればよい。
【００３８】
例えば、図９に示すように、被検出板３２０の保持部３２０ｂ全体の形状と係合する溝部３ｃを鍵２の側面に設けてもよい。
また、例えば、図１０に示すようにしてもよい。すなわち、被検出板３２０において、スケール部３２０ａの下端には、このスケール部３２０ａの延長方向と垂直に略長方形の当接部３２０ｂが設けられており、さらに、この当接部３２０ｃは、左右両端部が図面上方に垂直に折れた側面部３２７を有している。一方、鍵２の下面には、当接部３２０ｃの側面部３２７と係合する形状の溝部３ｃが設けられている。この被検出板３２０の鍵２への取り付けは、当接部３２０ｃの上面の鍵２との対向面に粘着材を塗布した後、側面部３２７と溝部３ｃとを係合させつつ、当接部３２０ｃを鍵２に圧着することにより行われる。さらに、図１１に示すように、図１０に示す被検出板３２０において、側面部３２７を設けるかわりに、当接部３２０ｃの上面の鍵２との対向面上に突起部３２７ａを設けるようにしてもよい。
【００３９】
（３）次いで、第２実施形態および変形例（２）において、被検出板３２０の当接部３２０ｃと鍵２との接合をより強固なものとするために、鍵２と当接部３２０ｃとを貼付固定した後、さらに、当接部３２０ｃと鍵２とを釘やタッカーなどを用いて固定してもよい。
【００４０】
（４）また、第２実施形態は、図１２のように変形してもよい。すなわち、被検出板３２０の保持部３２０ｂに凸リブ部３２７ｂを設け、この保持部３２０ｂを鍵２の下面に設けた溝部３ｃに挿入する。このようにすることで、凸リブ３２７ｂにより被検出板３２０の固定強度が増強される。さらに、同図に示すように、保持部３２０ｂが板状になっているため、溝部３ｃに挿入された後に、この保持部３２０ｂを中心として被検出板３２０が回動することが防がれる。
【００４１】
（５）次いで、各実施形態および各変形例にあっては、被検出板３２０にＰＥＴフィルムなどの透過光性を有する材料を用いたが、例えばアルミニウム板等の弾性を有する金属板を用いてもよい。被検出板３２０に金属板を用いる場合には、光を透過させる開口領域を、例えばエッチングや穴あけプレスなどを用いて開口させたパターンを、金属板に形成する。また、本実施形態にあっては、被検出板３２０にスケール部３２０ａを設けているが、このスケール部３２０ａのかわりに、鍵２の運動に応じて光センサ２６０の光の経路軸を交互に横切る遮光部と光透過部とを備えたシャッタ部を設けても良い。シャッタ部を用いる場合には、遮光部と光透過部とが鍵２に連動して光の経路軸を横切ることにより、受光部２６０ｂでの受光量が変化し、これにより鍵２の運動が検出される。
【００４２】
【発明の効果】
以上説明したように、本発明によれば、煩雑な作業を必要とせず簡単に取り付けることが可能なキーセンサ、キーセンサの被検出板、および鍵盤楽器が提供される。
【図面の簡単な説明】
【図１】  本発明の第１実施形態にかかる鍵盤楽器の構造を示す側断面図である。
【図２】  同光センサユニットを説明するための図である。
【図３】  同被検出板および被検出板固定具の構成を示す図である。
【図４】  同被検出板固定具の構成を示す３面図である。
【図５】  同被検出板固定具の鍵への取り付けを説明するための図である。
【図６】  本発明の第２実施形態にかかる被検出板の外観を示す斜視図である。
【図７】  同被検出板の鍵への取り付けを説明するための図である。
【図８】  第１実施形態の変形例にかかる被検出板および被検出板固定具の構成を示す斜視図である。
【図９】  第２実施形態の変形例にかかる被検出板の外観を示す斜視図である。
【図１０】  同変形例にかかる被検出板の外観を示す斜視図である。
【図１１】  同変形例にかかる被検出板の外観を示す斜視図である。
【図１２】  同変形例にかかる被検出板の外観を示す斜視図である。
【符号の説明】
２…鍵、３ａ…接合孔部、３ｂ…回転防止孔部、３ｃ…溝部、１２ａ…バランスピン、２６０…光センサ、２６０ａ…発光部、２６０ｂ…受光部、３１０…被検出板固定具、３１２ａ、３１２ｂ…保持部、３１４…凸部、３１８…接合部、３１８ａ…脚、３１９…回転防止棒、３２０…被検出板、３２７…側面部
【図１】
0003820936.tif 000002
【図２】
0003820936.tif 000003
【図３】
0003820936.tif 000004
【図４】
0003820936.tif 000005
【図５】
0003820936.tif 000006
【図６】
0003820936.tif 000007
【図７】
0003820936.tif 000008
【図８】
0003820936.tif 000009
【図９】
0003820936.tif 000010
【図１０】
0003820936.tif 000011
【図１１】
0003820936.tif 000012
【図１２】
0003820936.tif 000013